(57)【要約】【課題】判定部の形成をエンボスホログラムで形成する際に、製造時間の短縮が困難である点、エンボス型の製造時の工程数が多く、判定部のパターンの変更が困難な点を解消可能な真偽判定用媒体を提供することを課題とする。【解決手段】基材２上に、必要に応じ配向膜３を介して、入射光の回転方向が反転するパターン層４、および入射した光のうち左円偏光もしくは右円偏光のいずれか一方を反射する光選択反射層５の両層を順不同に重ねて積層して真偽判定用媒体を構成し、課題を解決することができた。【選択図】  図１
2005022231.tif 000002
【特許請求の範囲】
【請求項１】
基材の表面に、入射光のうち左円偏光もしくは右円偏光のいずれか一方を反射する光選択反射層と、入射光の回転方向が反転するパターン層が積層されていることを特徴とする真偽判定用媒体。
【請求項２】
前記入射光が可視領域の光であることを特徴とする請求項１記載の真偽判定用媒体。
【請求項３】
基材の表面に、前記光選択反射層と前記パターン層とがこの記載順に積層されていることを特徴とする請求項１または請求項２記載の真偽判定用媒体。
【請求項４】
基材の片面側に前記パターン層が積層され、前記光選択反射層は、前記基材と前記パターン層との間もしくは前記基材のパターン層が積層されたのとは反対側の面に積層されていることを特徴とする請求項１または請求項２記載の真偽判定用媒体。
【請求項５】
前記光選択反射層がコレステリック液晶層であることを特徴とする請求項１〜請求項４いずれか記載の真偽判定用媒体。
【請求項６】
前記パターン層がスメクチック液晶層もしくはネマチック液晶層であることを特徴とする請求項１〜請求項４いずれか記載の真偽判定用媒体。
【請求項７】
請求項１〜請求項６いずれか記載の真偽判定用媒体にさらに接着剤層が積層されていることを特徴とする真偽判定用媒体ラベル。
【請求項８】
請求項１〜請求項６いずれか記載の真偽判定用媒体が剥離性基材の剥離性面に積層されていることを特徴とする真偽判定用媒体転写シート。
【請求項９】
請求項１〜請求項６いずれか記載の真偽判定用媒体を、シートの一部に可視可能に有することを特徴とする真偽判定可能なシート。
【請求項１０】
請求項１〜請求項６いずれか記載の真偽判定用媒体が、真偽判定対象である情報記録体の表面に積層されているか、もしくは前記情報記録体の一部に可視可能に有することを特徴とする真偽判定可能な情報記録体。
【発明の詳細な説明】
【０００１】
【発明の属する技術分野】
本発明は、不正な意図に基づく偽造や改ざん等により得られたものとの区別を可能にした真偽判定用媒体に関する。また、本発明は、そのような真偽判定用媒体を物品に適用するのに適するラベルの形態や転写シートの形態に加工したものにも関する。さらに本発明は、真偽判定用媒体を適用したシートや情報記録体にも関する。
【０００２】
【従来の技術】
例えば、クレジットカード、預貯金用カード、各種金券、もしくは身分証明書等は、偽造されたり改ざんされて不正に使用されるといろいろな支障を招くので、偽造や改ざんによる損害を防止するために、そのものの真正性を識別できる機能を有することが望まれる。また、例えば、腕時計、皮革製品、貴金属製品もしくは宝飾品等の高級品、とりわけ、高級ブランド品と言われるもの、オーディオ製品、電化製品、または媒体に記録された音楽ソフト、映像ソフト、ゲームソフト、もしくはコンピュータソフトも、やはり偽造の対象となるので、同様に、真正性を識別できる機能を有することが望まれる。
【０００３】
従来、上記の物品も含めた種々の物品の真正性の識別を可能にする目的で、ホログラムが多用されている。ホログラムは、その構造の精密さから、製造上の困難性を有するからである。しかし、ホログラムの製造方法は専門家には知られており、また、精密なものであるだけに、真正なホログラムと偽造されたホログラムとの区別はなかなかに困難である。
【０００４】
そこで、ホログラムに代るものとして、基材と、基材の一方の面に形成され、入射した光のうち、左回り偏光又は右回り偏光のいずれか一方の光のみを反射する光選択反射層と光選択反射層の少なくとも一部に形成され、新製品を判定する判定情報を備える判定部とを有する真偽判定体が提案された（例えば、特許文献１参照。）。
【０００５】
【特許文献１】
特開２０００−２５３７３号公報（第３−５頁、図１）
【０００６】
特許文献１記載の真偽判定体においては、判定部はエンボスホログラムで形成されており、判定部として精密なパターンの形成が可能である。しかし、判定部をエンボスホログラムで形成するには、エンボス型に刻まれたホログラムの凹凸を充分に再現する意味で、エンボス型とエンボスされる材料との接触時間を充分に長くする必要があり、製造時間の短縮が困難である上、エンボス型自体の製造プロセスも工程数が多いため、判定部のパターンの変更が困難となる不利も有している。
【０００７】
【発明が解決しようとする課題】
本発明の課題は、判定部の形成をエンボスホログラムで形成する際に、製造時間の短縮が困難である点、エンボス型の製造時の工程数が多く、判定部のパターンの変更が困難な点を解消可能な真偽判定用媒体を提供することである。
【０００８】
【課題を解決する手段】
上記の本発明の課題は、例えばコレステリック液晶層で構成される光選択反射層と、入射光の回転方向が反転するパターン層とを重ねて積層することにより、解決し得ることが判明したので、これに基づいて本発明に到達することができた。
【０００９】
第１の発明は、基材の表面に、入射光のうち左円偏光もしくは右円偏光のいずれか一方を反射する光選択反射層と、入射光の回転方向が反転するパターン層のが積層されていることを特徴とする真偽判定用媒体に関するものである。
【００１０】
第２の発明は、第１の発明において、前記入射光が可視領域の光であることを特徴とする真偽判定用媒体に関するものである。
【００１１】
第３の発明は、第１または第２の発明において、基材の表面に、前記光選択反射層と前記パターン層とがこの記載順に積層されていることを特徴とする真偽判定用媒体に関するものである。
【００１２】
第４の発明は、第１または第２の発明において、基材の片面側に前記パターン層が積層され、前記光選択反射層は、前記基材と前記パターン層との間もしくは前記基材のパターン層が積層されたのとは反対側の面に積層されていることを特徴とする真偽判定用媒体に関するものである。
【００１３】
第５の発明は、第１〜第４いずれかの発明において、前記光選択反射層がコレステリック液晶層であることを特徴とする真偽判定用媒体に関するものである。
【００１４】
第６の発明は、第１〜第４の発明において、前記パターン層がスメクチック液晶層もしくはネマチック液晶層であることを特徴とする真偽判定用媒体に関するものである。
【００１５】
第７の発明は、第１〜第６いずれかの発明の真偽判定用媒体にさらに接着剤層が積層されていることを特徴とする真偽判定用媒体ラベルに関するものである。
【００１６】
第８の発明は、第１〜第６いずれかの発明の真偽判定用媒体が剥離性基材の剥離性面に積層されていることを特徴とする真偽判定用媒体転写シートに関するものである。
【００１７】
第９の発明は、第１〜第６いずれかの発明の真偽判定用媒体を、シートの一部に可視可能に有することを特徴とする真偽判定可能なシートに関するものである。
【００１８】
第１０の発明は、第１〜第６いずれかの発明の真偽判定用媒体が、真偽判定対象である情報記録体の表面に積層されているか、もしくは前記情報記録体の一部に可視可能に有することを特徴とする真偽判定可能な情報記録体に関するものである。
【００１９】
【発明の実施の形態】
図１（ａ）および（ｂ）は、本発明の真偽判定用媒体の断面の積層構造を示す図である。図１（ａ）に示すように、真偽判定用媒体１は、基材２の図中の上面に一面に配向膜３が積層されており、配向膜３上に、入射光の回転方向が反転する位相差層からなるパターン層４が積層され、パターン層４上の一面に光選択反射層５が積層されたものである。ここで、光選択反射層５は、具体的には配向されたコレステリック液晶層であって、入射した右円偏光もしくは左円偏光のいずれか一方のみを反射するものであり、パターン層４は、ネマチック液晶層もしくはスメクチック液晶層からなっており、いずれも透明な層である。
【００２０】
図１（ｂ）に示すように、真偽判定用媒体１は、基材２の上面に一面に配向膜３が積層され、配向膜３上の一面に光選択反射層５が積層され、光選択反射層５上に、入射光の回転方向が反転する位相差層からなるパターン層４が積層されたものであってもよい。あるいは、図１（ｃ）に示すように、真偽判定用媒体は、基材２の上面に入射光の回転方向が反転するパターン層４が積層され、基材２の下面の一面に配向膜３および光選択反射層が積層されたものであってもよい。なお、この明細書における入射光は、可視領域の光であり、波長の範囲としては３００ｎｍ〜８００ｎｍであり、より好ましくは、４００ｎｍ〜７００ｎｍである。
【００２１】
図１（ａ）〜（ｃ）を引用して説明した真偽判定用媒体１においては、いずれも基材２とは別の配向膜３を必要とするものを示したが、例えば、延伸したプラスチックシートを基材２とするときには、その表面が配向性を有しているので、配向膜３を有していなくてもよい。
【００２２】
図１（ａ）〜（ｃ）を引用して説明した真偽判定用媒体１の真偽判定について、図２を引用して説明する。図２は、図１（ａ）〜（ｃ）で示す真偽判定用媒体を基材２のパターン層４を有する側から見た平面図に相当し、有する光選択反射層は右円偏光を反射する性質を有するものとする。また、図２中の線幅の太い文字「Ａ」（符号４ａ）は、パターン層４の平面形状を示す。
【００２３】
まず、真偽判定用媒体１を、自然光の下で観察すると、図２（ａ）に示すように、文字４ａは潜像となっており、全く見えないか、ごく不明瞭にしか見えないものである。
【００２４】
次に、真偽判定用媒体１に右円偏光を入射すると、文字４ａ以外の、即ち背景の部分では反射が起きるため明るく見え、文字４ａの部分では、入射光の回転方向が反転し、反射が起きないため暗く見えるから、文字４ａを視認することができる（図２（ｂ））。この状態では、文字４ａの背景部分は、コレステリック液晶層のらせんピッチに基づいて着色して見える。また、真偽判定用媒体１に左円偏光を入射すると、文字４ａの背景の部分では反射が起きないため暗く見え、文字４ａの部分では、入射光の回転方向が反転し、反射が起きるため明るく見えるから、文字４ａを視認することができる（図２（ｂ））。この状態では、文字４ａの部分は、コレステリック液晶層のらせんピッチに基づいて着色して見える。
【００２５】
真偽判定用媒体１が、トリアセチルセルロースフィルムのように、配向膜３を必要とする基材を用いて構成されているときは、上記のように潜像が見えるためには、右円偏光もしくは左円偏光の入射をパターン層４側から行なっても、基材２側から行なってもよいが、ポリエチレンテレフタレート樹脂フィルムやポリカーボネート樹脂フィルムのように表面が配向性を有し、配向膜を必要としない基材を用いて構成されているときは、上記のように潜像が見えるためには、右円偏光もしくは左円偏光の入射をパターン層４側から行なう必要がある。
【００２６】
従って、本発明の真偽判定用媒体１は、右円偏光および左円偏光をそれぞれ別に入射させることにより、異なった反射性を示し、観察者から見れば、異なった見え方となるから、予め、真正なものの見え方を確認しておくか、右円偏光および左円偏光のそれぞれを真正なものと真偽を判定すべきものの両方に入射して、反射性もしくは見え方を比較することにより、真偽判定を行なうことができる。なお、右円偏光、もしくは左円偏光を真偽判定用媒体に入射して観察することは、単に、右円偏光板もしくは左円偏光板を光選択反射層５上に重ねて観察することによってもよい。
【００２７】
上記における基材２としては、厚みを薄くすることが可能であって、機械的強度や真偽判定用媒体を製造する際の加工に耐える耐溶剤性および耐熱性を有するものが好ましい。使用目的にもよるので、限定されるものではないが、フィルム状もしくはシート状のプラスチックが好ましい。例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種類プラスチックフィルムを例示することができる。
【００２８】
配向膜３は、ポリビニルアルコール樹脂（ＰＶＡ）、ポリイミド樹脂等の一般に配向膜として使用し得るものであれば、いずれを用いて構成したものであってもよい。配向膜３は、これらの樹脂の溶剤溶液を、上記のような基材２の表面に塗布し、乾燥させた後に、布、ブラシ等を用いて摩擦するラビングを行なって形成することができる。
【００２９】
パターン層４は、ネマチック液晶もしくはスメクチック液晶を用いて構成されたもので、これらの液晶を含むインキ組成物、好ましくはこれらの液晶の溶剤溶液からなるインキ組成物を用いた各種印刷法により形成することができ、自身が配向性を有する基材２上、配向膜３上、もしくは光選択反射層５上に形成する。
【００３０】
光選択反射層５は、コレステリック液晶層からなり、自身が配向性を有する基材２上、配向膜３上、もしくはパターン層４上に形成されたものである。パターン層４上に形成された場合、パターン層４を構成するネマチック液晶もしくはスメクチック液晶は配向されており、光選択反射層４側の表面にも配向状態が及ぶため、パターン層４上であっても配向される。
【００３１】
光選択反射層５は、コレステリック液晶を含む組成物である溶剤溶液を塗布し、乾燥させることにより形成でき、あるいは、重合性のコレステリック液晶を用いて紫外線重合性組成物を調製して用い、塗布および乾燥して配向させた後に、紫外線を照射して重合させて形成することもできる。
【００３２】
図１（ａ）〜（ｃ）を引用して説明した以上の真偽判定用媒体１は、図３を引用して次に説明するように、ラベルや転写シートの形態に加工することにより、真偽判定用媒体１を適用すべき種々の物品に対する適用を容易とすることができる。
【００３３】
図３（ａ）は、ラベル形態に関するもので、図示の例のものは、図１（ａ）を引用して説明した真偽判定用媒体１の光選択反射層５側に接着剤層６を積層して真偽判定用媒体ラベル１１としたものである。用いる真偽判定用媒体１としては、図１（ａ）を引用して説明した真偽判定用媒体１のほか、図１（ｂ）（ｃ）を引用して説明した真偽判定用媒体１であってもよいし、また、これらの真偽判定用媒体１から、既に述べたように配向膜３を省いたものであってもよい。また、図３（ａ）を引用した上記説明においては、光選択反射層５側に接着剤層６を積層したが、基材２側に接着剤層が積層してあってもよい。ただし、真偽判定用媒体１が、トリアセチルセルロースフィルムのように、配向膜３を必要とする基材を用いて構成されているときは、右円偏光もしくは左円偏光の入射をパターン層４側から行なっても、基材２側から行なってもよいが、ポリエチレンテレフタレート樹脂フィルムやポリカーボネート樹脂フィルムのように表面が配向性を有し、配向膜を必要としない基材を用いて構成されているときは、上記のように潜像が見えるためには、右円偏光もしくは左円偏光の入射をパターン層４側から行なう必要があるため、不透明な被着体に適用するラベル１１の場合であれば、基材２側に接着剤層６を積層することが好ましく、透明な被着体に適用するラベル１１の場合であれば、接着剤層６を透明な素材で構成しておき、被着体側から右円偏光もしくは左円偏光の入射を行なってもよい。なお、基材２側に接着剤層が積層されている場合には、光選択反射層５側に保護層を積層してもよい。なお、接着剤層６は、種々のタイプの接着剤層であり得るが、感熱接着剤層もしくは粘着剤層であることが好ましい。
【００３４】
図３（ｂ）は、転写シート形態に関するもので、図１（ａ）を引用して説明した真偽判定用媒体１の光選択反射層５側に接着剤層６、基材２側に剥離性基材７の剥離性面７ａを積層して真偽判定用媒体転写シート１２としたものである。真偽判定用媒体１としては、前段落で説明した真偽判定用媒体ラベル１１の場合と同様に、図１（ａ）〜（ｃ）を引用して説明した真偽判定用媒体１、またはそれらから配向膜３を省いたものを用いることができる。ここでは基材側２側に剥離性基材７を積層し、光選択反射層５側に接着剤層６を積層したが、光選択反射層５側に剥離性基材７を積層し、基材２側に接着剤層６が積層してあってもよい。ただし、真偽判定用媒体１が、配向膜３を必要とする基材を用いて構成されている場合には、被転写体が透明か不透明かにより、上記の真偽判定用媒体ラベル１１の場合と同様な配慮に基づく好ましい側に接着剤層を積層するとよい。接着剤層は、種々のタイプの接着剤層であってもよいが、感熱接着剤層もしくは粘着剤層であってもよい。なお、接着剤層は被着体の表面に適用しておき、転写シートとしては、接着剤層の無いものを用いてもよい。
【００３５】
本発明の真偽判定用媒体１は、好ましくは、上記のような真偽判定用媒体ラベル１１もしくは真偽判定用媒体転写シート１２を用いて、種々の物品に適用することができる。真偽判定用媒体ラベル１１は、接着剤層６を被着体となる物品側に向けて貼り付けることにより適用し、また、真偽判定用媒体転写シート１２は、接着剤層６を被転写体となる物品側に向けて接着させた後、剥離性基材７を剥離することにより適用する。
【００３６】
図４は、主にシート状物を対象とした真偽判定用媒体１の適用について説明するための図である。図４（ａ）に示すものは、情報記録体８の表面の一部に真偽判定用媒体１が積層されて構成された、真偽判定可能な情報記録体２１である。情報記録体８は紙やプラスチックシート等を基材とするシート状のもので、図示の例では、金券として利用するための金額、発行会社名、注意書等の文字、彩紋等の情報が印刷等の手段により形成され記録されたものである。
【００３７】
図４（ｂ）に示すものは、真偽判定用媒体を、シート状物に予め内蔵させ、視認可能にしたもので、紙やプラスチックシート等に貫通孔とはならない凹部状の開口部１０を形成し、開口部１０から真偽判定用媒体１が見えるよう構成したもので、真偽判定用媒体１は適用を容易にするため、一例として０．５ｍｍ〜５ｍｍ程度のごく狭い幅の図中縦長のスレッド状に裁断されており、紙を構成する数層を積層する際に、表層を構成する層には開口部１０を設けておき、層間にスレッド状の真偽判定用媒体をはさむ等して適用することにより形成されたものである。スレッド状の真偽判定用媒体には、必要に応じて、円偏光照射時の視認性を高める目的で基材面等の片面に暗色系等の着色を行ない、また、シート状物に内蔵させた状態における、スレッド状の真偽判定用媒体とシート状物との接着性を確保するために、両面に接着剤層、好ましくは感熱接着剤層を積層しておくとよい。このようなシート状物に真偽判定用媒体を適用したものは、情報記録体、特に金券やその他の経済的価値を有する印刷物に利用するのに適している。
【００３８】
【実施例】
（実施例１）
ＴＡＣフィルムを準備し、各々の表面にＰＶＡ溶液（（株）クラレ製のＰＶＡ樹脂、品番；「１１０」、５％水溶液（透明）として使用。）を塗布し乾燥させた後に、ラビング処理を行なって配向膜を形成した。続いて配向膜上に、重合性のネマチック液晶（ＢＡＳＦ（株）製、商品名；「パリオカラーＬＣ２４２」）および紫外線重合開始剤の４０％トルエン溶液（重合性ネマチック液晶インキと称する。）を用いてグラビア印刷を行ない、乾燥させた後、紫外線照射して、文字および図柄を形成した。その後、文字および図柄の上を含む配向膜上の全面に、ネマチック液晶（前記ＬＣ２４２）、カイラル剤（ＢＡＳＦ（株）製、商品名；「パリオカラーＬＣ７５６」）および紫外線重合開始剤を配合したものの１５％溶液（溶剤はトルエンおよびメチルエチルケトン、重合性コレステリック液晶インキと称する。）を一面に塗布し、乾燥させてコレステリック液晶相を発現させた後、紫外線照射して、右円偏光のみを反射する厚みが２μｍのコレステリック液晶層を形成し、真偽判定用媒体を得た。
【００３９】
得られた真偽判定用媒体の文字および図柄は、通常の照明下ではほとんど確認できなかったが、右円偏光板をコレステリック液晶層上に重ねたところ、文字・図柄の背景部が、コレステリック液晶層のらせんピッチに基づいて着色した明るい状態となり、文字・図柄が暗い状態となったため、文字・図柄が見える状態となった。また、左円偏光板をコレステリック液晶層上に重ねたところ、文字・図柄の背景部が暗い状態となり、文字・図柄が着色した明るい状態となって、丁度、右円偏光板を重ねたときとは逆転した状態となり、文字・図柄が見える状態となった。
【００４０】
（実施例２）
基材としてＰＥＴフィルムを準備し、配向膜を形成しなかった以外は、実施例１におけるのと同様に行なって真偽判定用媒体を得た。得られた真偽判定用媒体のコレステリック液晶層上に右円偏光板、および左円偏光板を別々に重ねたところ、実施例１で得られた真偽判定用媒体と同様な挙動を示した。また、この実施例２で得られた真偽判定用媒体のＰＥＴフィルム側に右円偏光板、および左円偏光板を別々に重ねた場合も、実施例１で得られた真偽判定用媒体と同様な挙動を示した。
【００４１】
（比較例１）
グラビア印刷を、通常の着色インキを用いて行なった以外は、実施例１と同様にして、ＴＡＣフィルム、コレステリック液晶層、および着色インキパターンが順に積層した積層体を得た。得られた積層体は、通常の照明下でも、文字・図柄が見え、右円偏光板をコレステリック液晶層上に重ねたところ、文字・図柄の背景部が、着色した明るい状態となったが、文字・図柄の色は変化しなかった。また、左円偏光板をコレステリック液晶層上に重ねたところ、文字・図柄の背景部が暗い状態となったが、文字・図柄の色は変化しなかった。
【００４２】
（実施例２）
グラビア印刷を重合性コレステリック液晶インキを用いて行ない、その後の液晶層の形成を重合性ネマチック液晶インキを用いて行った以外は実施例１と同様に行なって、真偽判定用媒体を作成した。
【００４３】
得られた真偽判定用媒体の文字・図柄および背景を、通常の照明下、右円偏光板をＴＡＣフィルム側に重ねた状態、および左円偏光板をＴＡＣフィルム側に重ねた状態で観察したところ、実施例１の真偽判定用媒体の場合と同様であった。
【００４４】
（実施例３）
グラビア印刷を行なう際に、重合性ネマチック液晶インキを用いた文字および図柄の印刷（印刷Ａとする。）に加えて、重合性コレステリック液晶インキを用いた文字および図柄の印刷の印刷（印刷Ｂとする。）も行ない、その他は実施例１と同様に行なって真偽判定用媒体を作成した。グラビア印刷に用いた重合性コレステリック液晶インキと、最上層に一面に設けたコレステリック液晶層を構成するのに用いた重合性コレステリック液晶インキとしては、実施例１で用いたのものと成分上は同じで、カイラル剤の配合レンズが異なるものとし、得られるコレステリック液晶層がいずれも右円偏光を反射し、ただし、らせんピッチの異なるものどうしとした。
【００４５】
得られた真偽判定用媒体の文字および図柄は、通常の照明下ではほとんど確認できなかったが、右円偏光板をＴＡＣフィルム側に重ねたところ、コレステリック液晶の溶剤溶液を用いた印刷Ｂにより形成した文字・図柄と、それ以外の背景部が、異なる色に着色した明るい状態となり、印刷Ｂにより形成した文字・図柄を見ることができた。また、左円偏光板を同様に重ねたところ、印刷Ａにより形成した文字・図柄が明るい状態に、それ以外の背景が暗い状態となって、印刷Ａにより形成した文字・図柄のみが見える状態となった。
【００４６】
【発明の効果】
請求項１〜請求項４いずれかの発明によれば、光選択反射層と入射光の回転方向が反転するパターン層の両層が積層された構造を有しており、このパターン層の形成は印刷等により容易に行なえるので、製造時の工程数が多くなることが無く、パターンの変更も容易な真偽判定用媒体を提供することができる。
【００４７】
請求項５の発明によれば、請求項１〜請求項４いずれかの発明の効果に加え、光選択反射層が具体的にはコレステリック液晶層で構成されているので、コレステリック液晶を含む組成物を用いて配向性パターン上に適用することが容易な真偽判定用媒体を提供することができる。
【００４８】
請求項６の発明によれば、請求項１〜請求項４いずれかの発明の効果に加え、パターン層が具体的にはスメクチック液晶層もしくはネマチック液晶層で構成されているので、スメクチック液晶もしくはネマチック液晶を含む組成物を用いての形成が容易な真偽判定用媒体を提供することができる。
【００４９】
請求項７の発明によれば、請求項１〜請求項６いずれかの発明の効果を発揮し得る真偽判定用媒体を接着剤層を利用して容易に物品に適用可能な真偽判定用媒体ラベルを提供することができる。
【００５０】
請求項８の発明によれば、請求項１〜請求項６いずれかの発明の効果を発揮し得る真偽判定用媒体が転写可能に構成されているので、容易に物品に適用可能な真偽判定用媒体転写シートを提供することができる。
【００５１】
請求項９の発明によれば、請求項１〜請求項６いずれかの発明の真偽判定用媒体が適用されているので、付加される情報の真偽判定を可能とする、真偽判定可能なシートを提供することができる。
【００５２】
請求項１０の発明によれば、請求項１〜請求項６いずれかの発明の真偽判定用媒体が適用されているので、自身の真偽判定を可能とする、真偽判定可能な情報記録体を提供することができる。
【図面の簡単な説明】
【図１】本発明の真偽判定用媒体の積層構造を示す図である。
【図２】本発明の真偽判定用媒体を用いて真偽判定する様子を示す図である。
【図３】本発明の真偽判定用媒体を種々の物品に適用するのに適したラベル、転写シートを示す図である。
【図４】本発明の真偽判定用媒体の適用例を示す図である。
【符号の説明】
１………真偽判定用媒体
２………基材
３………配向膜
４………パターン層（４ａ；文字）
５………光選択性反射層
６………接着剤層
７………剥離性基材（７ａ；剥離性面）
８………情報記録体
９………情報
１０………開口部
１１………真偽判定用媒体ラベル
１２………真偽判定用媒体転写シート
２１………真偽判定可能な情報記録体
２２………真偽判定可能なシート
【図１】
2005022231.tif 000003
【図２】
2005022231.tif 000004
【図３】
2005022231.tif 000005
【図４】
2005022231.tif 000006